(57)【要約】【課題】動画像データを構成する複数の場面のそれぞれに対応する代表画像２０２を、それぞれの代表画像２０２に応じた表示時間で、順次切り替えて表示する動画再生装置１０を提供する。【解決手段】動画像２０４を再生する動画再生部１０６を備えた動画再生装置１０であって、複数の場面に時間的に区切られた動画像２０４を格納している動画像データ格納部１１２と、各場面毎に代表画像２０２として定められ、それぞれ表示時間が設定されている静止画像である代表画像２０２を予め格納している代表画像データ格納部１１４と、代表画像２０２を、それぞれ設定されている表示時間に従って順次表示する代表画像表示部１０８と、動画再生部１０６による動画像２０４の再生と代表画像表示部１０８による代表画像２０２の順次表示とを選択的に切り替える切替部１０２とを備えることを特徴とする。【選択図】図１
2006014126.tif 000002
【特許請求の範囲】
【請求項１】
動画像データを再生する動画再生手段を備える動画再生装置であって、
複数の場面に時間的に区切られた動画像データと、各場面毎に代表画像として定められ、それぞれ表示時間が設定されている静止画像である代表画像データとを予め格納している記憶手段と、
前記代表画像データを、それぞれ設定されている前記表示時間に従って順次表示する代表画像表示手段と、
前記動画再生手段による前記動画像データの再生と前記代表画像表示手段による前記代表画像データの順次表示とを選択的に切り替える切替手段と
を備えることを特徴とする動画再生装置。
【請求項２】
請求項１に記載の動画再生装置であって、
前記記憶手段は、前記場面毎に定められた文字情報をさらに格納しており、
前記代表画像表示手段は、表示する前記代表画像データに対応する前記文字情報を併せて表示することを特徴とする動画再生装置。
【請求項３】
請求項１または２に記載の動画再生装置であって、
前記記憶手段は、前記場面毎に定められた音声情報をさらに格納しており、
前記代表画像表示手段は、表示する前記代表画像データに対応する前記音声情報を併せて再生することを特徴とする動画再生装置。
【請求項４】
請求項１に記載の動画再生装置であって、
前記切替手段は、ユーザからの切替指示に基づいて前記動画再生手段による前記動画像データの再生と前記代表画像表示手段による前記代表画像データの順次表示とを切り替えることを特徴とする動画再生装置。
【請求項５】
請求項４に記載の動画再生装置であって、
前記切替手段が前記動画再生手段による前記動画像データの再生中に前記切替指示を受け付けると、前記代表画像表示手段は、再生中の前記場面に対応する前記代表画像データから、前記代表画像データを順次表示することを特徴とする動画再生装置。
【請求項６】
請求項１に記載の動画再生装置であって、
前記切替手段は、前記代表画像表示手段による前記代表画像データの順次表示中に、前記代表画像表示手段が現在表示している前記代表画像データから、前記代表画像表示手段が現在表示している前記代表画像データに対応する前記場面と時間的に隣接する前記場面の前記代表画像データへ切り替える旨の指示をユーザからさらに受け付け、
前記代表画像表示手段は、前記切替手段がユーザからの切替指示を受け付けた場合に、現在表示している前記代表画像データに対応する前記場面と時間的に隣接している前記場面の前記代表画像データから、前記代表画像データを順次表示することを特徴とする動画再生装置。
【請求項７】
請求項１に記載の動画再生装置であって、
ユーザからの起動指示を受け付ける起動指示受付部と、
前記起動指示受付部を介してユーザから受け付けた前記起動指示の回数を格納する起動回数格納部と
をさらに備え、
前記切替手段は、前記起動指示受付部がユーザから前記起動指示を受け付けた場合、前記起動回数格納部に格納された前記起動指示の回数が予め定められた回数未満の場合には、前記動画再生手段により前記動画像データを再生させ、前記起動指示の回数が予め定められた回数以上の場合には、前記代表画像表示手段により前記代表画像データを順次表示させることを特徴とする画像表示装置。
【請求項８】
請求項７に記載の動画再生装置であって、
前記起動指示受付部は、前記起動指示と共に、ユーザを識別する識別情報をユーザからさらに受け付け、
前記起動回数格納部は、前記起動指示の回数を、ユーザから受け付けた前記識別情報毎に格納し、
前記切替手段は、前記起動指示受付部がユーザから前記起動指示および前記識別情報を受け付けた場合、前記起動回数格納部を参照して、前記識別情報に対応する前記起動指示の回数が予め定められた回数未満の場合には、前記動画再生手段に前記動画像データを再生させ、前記起動指示の回数が予め定められた回数以上の場合に、前記代表画像表示手段に前記代表画像データを順次表示させることを特徴とする画像表示装置。
【請求項９】
請求項１に記載の動画再生装置であって、
前記複数の場面は、
１の前記代表画像に対応付けられている第１の場面と、
複数の前記代表画面に対応付けられている第２の場面と
を有し、
前記代表画像表示手段は、前記第２の場面に対応する複数の前記代表画像を、１の画面内の複数の領域のそれぞれに表示することを特徴とする動画像再生装置。
【請求項１０】
動画像データを再生する動画再生機能を備える動画再生装置を制御するプログラムであって、コンピュータに、
複数の場面に時間的に区切られた動画像データと、各場面毎に代表画像として定められ、それぞれ表示時間が設定されている静止画像である代表画像データとを予め格納させる記憶機能、
前記代表画像データを、それぞれ設定されている前記表示時間に従って順次表示する代表画像表示機能、および
前記動画再生機能による前記動画像データの再生と前記代表画像表示機能による前記代表画像データの順次表示とを選択的に切り替える切替機能
を実現させるプログラム。
【発明の詳細な説明】
【技術分野】
【０００１】
本発明は、静止画像および動画像を表示する画像表示技術に関する。
【背景技術】
【０００２】
動画像格納媒体に格納された動画像から、動画像ダイジェストを生成する動画像ダイジェスト生成装置が知られている（例えば、特許文献1参照。）。より詳しくは、この動画像ダイジェスト生成装置は、動画像格納媒体に格納された複数ブロックで構成された動画像の各ブロックに対して代表画像を決定し、代表画像をもとに動画像格納媒体の各ブロックから抽出する連続した複数フレームからなる区間を決定し、決定された抽出区間の動画像をブロック毎に動画像格納媒体から順次読み出して表示する。
【０００３】
【特許文献１】特開平８−９３１０号公報
【発明の開示】
【発明が解決しようとする課題】
【０００４】
前述の動画像ダイジェスト生成装置は、生成する動画像ダイジェストの再生時間に応じて、それぞれのブロックから抽出する動画像の長さを、一律に決定する。そのため、画像の変化が少なく、一見して内容の理解が容易なブロックと、画像の変化が激しく、内容の理解に時間がかかるブロックとを同一の長さで再生する。そのため、閲覧者は、動画像ダイジェストの元となる動画像が示す内容を適切に理解することが困難な場合があった。
【０００５】
本発明は上記事情に鑑みてなされたものであり、本発明の目的は、作成者の意図を反映することができる、自由度の高い動画像の要約表示を可能とすることにある。
【課題を解決するための手段】
【０００６】
上記課題を解決するために、本発明は、動画像データを構成する複数の場面のそれぞれに対応する代表画像を、それぞれの代表画像に応じて予め設定された表示時間で、順次切り替えて表示する。
【０００７】
具体的には、動画像データを再生する動画再生手段を備えた動画再生装置であって、複数の場面に時間的に区切られた動画像データと、各場面毎に代表画像として定められ、それぞれ表示時間が設定されている静止画像である代表画像データとを予め格納している記憶手段と、代表画像データを、それぞれ設定されている表示時間に従って順次表示する代表画像表示手段と、動画再生手段による動画像データの再生と代表画像表示手段による代表画像データの順次表示とを選択的に切り替える切替手段とを備えることを特徴とする動画再生装置を提供する。
【発明の効果】
【０００８】
本発明によれば、動画像データを構成する複数の場面のそれぞれに対応する代表画像を、それぞれの代表画像に応じた表示時間で、順次切り替えて表示することができるので、作成者の意図を反映することができる、自由度の高い動画像の要約表示が可能となる。
【発明を実施するための最良の形態】
【０００９】
以下、本発明の実施の形態について説明する。
【００１０】
図１は、本発明の一実施形態に係る動画再生装置１０のブロック図である。動画再生装置１０は、切替部１０２、入力部１０４、動画再生部１０６、代表画像表示部１０８、対応表格納部１１０、動画像データ格納部１１２、代表画像データ格納部１１４、起動回数格納部１１６、および記録媒体１２０を備える。本実施形態の動画再生装置１０は、動画像を再生する動画再生機能と、動画像の内容を反映した複数の代表画像を予め定められた時間間隔で、順次切り替えて表示する要約表示機能とを実現する。
【００１１】
動画像データ格納部１１２は、動画像データを予め格納している。動画再生部１０６は、動画像データ格納部１１２が格納している動画像データを読み出して動画像として再生する。動画再生部１０６が再生する動画像は、時間的に区切られた複数の場面で構成される。場面は、作成者等により任意に設定され得るが、例えばカメラワークがほぼ同一のシーンや、動画像がマニュアルの場合には、説明や動作の区切り等とすることができる。
【００１２】
代表画像データ格納部１１４は、動画再生部１０６が再生する動画像のそれぞれの場面に対応する代表画像のデータおよび複数の代表画像のそれぞれの表示時間、ならびに複数の場面のそれぞれに対応する説明や付属情報を示す文字情報および音声情報を予め格納している。それぞれの代表画像に対応する表示時間は、代表画像毎に要約の作成者等によって任意に設定することができる。
【００１３】
代表画像表示部１０８は、各場面毎に、代表画像データ格納部１１４が格納している代表画像、文字情報、音声情報、および表示時間を読み出して、読み出した代表画像、文字情報、および音声情報を、読み出した表示時間によって定められた長さで、表示および再生する。
【００１４】
入力部１０４は、動画再生装置１０の起動指示、動画像再生と代表画像表示との切替指示、表示中の代表画像を次の代表画像へ進める旨の指示である送り指示、表示中の代表画像を1つ前の代表画像前に戻す旨の指示である戻り指示、およびユーザを識別するユーザＩＤを、ユーザから受け付ける。
【００１５】
起動回数格納部１１６は、入力部１０４を介してユーザから受け取った起動指示の回数を、同じく入力部１０４を介してユーザから受け取ったユーザＩＤ毎に格納する。起動回数格納部１１６を参照することにより、特定のユーザＩＤのユーザが動画再生装置１０を何回起動させたかを知ることができる。
【００１６】
対応表格納部１１０は、動画像のフレームを識別するフレーム番号と代表画像を識別する代表画像番号とを、動画像の場面を識別する場面番号に対応付けて予め格納している。切替部１０２は、入力部１０４を介してユーザから受け付けた動画像再生と代表画像表示との切替指示に応じて、動画再生部１０６および代表画像表示部１０８に対して、動画像の再生と代表画像の表示とを切り替えさせる。また、切替部１０２は、入力部１０４を介してユーザから受け付けた起動指示およびユーザＩＤに基づいて、動画再生装置１０の起動時に動画像の再生と代表画像の表示とのいずれを再生または表示させるかを決定する。
【００１７】
記録媒体１２０は、動画再生装置１０を、切替部１０２、入力部１０４、動画再生部１０６、代表画像表示部１０８、対応表格納部１１０、動画像データ格納部１１２、代表画像データ格納部１１４、および起動回数格納部１１６として機能させるプログラムを格納する。記録媒体１２０は、例えばＤＶＤ、ＰＤ等の光学記録媒体、ＭＤ等の光磁気記録媒体、テープ媒体、磁気記録媒体、または半導体記録装置等であってよい。動画再生装置１０は、このプログラムを、記録媒体１２０から読み取って実行する。また、動画再生装置１０は、通信回線等を介して、このプログラムを取得してもよい。
【００１８】
図２は、動画像２０４と代表画像２０２との関係を説明するための概念図である。動画像２０４は、複数の場面１〜ｎを有する。それぞれの場面の時間的な長さは、一律でもよく、場面毎に異なっていてもよい。複数の場面１〜ｎのそれぞれは、複数のフレーム２００を含む。それぞれの場面が有する複数のフレーム２００の少なくともいずれか１つは、代表画像２０２として定められる。従って、複数の場面のそれぞれに対して少なくとも１つの代表画像２０２が対応付けられている。
【００１９】
動画再生部１０６は、複数のフレーム２００のそれぞれを動画像２０４としての時間的な順番に従って、予め定められた時間間隔で再生することにより、動画像２０４を再生する。本例において、動画像２０４は、場面１から順番に場面ｎまで再生される。代表画像表示部１０８は、複数の代表画像２０２のそれぞれを、動画像２０４における場面の再生順序に従って、代表画像２０２−１から代表画像２０２−ｎまで、予め定められた表示時間に基づいて順次表示する。
【００２０】
本例において、ぞれぞれの代表画像２０２は、対応する場面に含まれる複数のフレーム２００のいずれか１つであるが、本発明はこれに限られず、それぞれの代表画像２０２は、対応する場面に含まれる複数のフレーム２００のいくつかを合成して作成されてもよく、対応する場面に含まれるフレーム２００とは無関係に、場面の内容を反映する静止画像として新たに作成されていてもよい。
【００２１】
図３は、代表画像データ格納部１１４に格納されているデータの構造の一例を示す。代表画像データ格納部１１４は、代表画像２０２のデータ本体である代表画像データ１１４２、代表画像２０２と共に表示される文字情報のデータ本体である文字データ１１４４、代表画像２０２と共に再生される音声情報のデータ本体である代表画像音声データ１１４６、および代表画像２０２を表示する時間の長さである表示時間１１４８を、代表画像２０２を識別する代表画像番号１１４０に対応付けて予め格納している。代表画像表示部１０８は、代表画像データ格納部１１４を参照することにより、代表画像番号１１４０に基づいて、表示すべき代表画像２０２のデータ、代表画像２０２と共に表示および再生すべき文字情報および音声情報、ならびに代表画像２０２の表示時間を抽出することができる。
【００２２】
なお、それぞれの代表画像２０２に対応付けられている表示時間は、動画像２０４が示す内容に対する重要度や、対応する代表画像２０２の内容が理解されるのにかかる時間、即ち、代表画像２０２の複雑さ等に応じて、動画像２０４の作成者等によって決められることが好ましい。また、一見して分かり易い代表画像２０２や、動画像２０４の内容に対して重要性が低い代表画像２０２であっても、併せて表示される文字情報が多い場合には、対応する代表画像２０２の表示時間を長く設定することが好ましい。また、表示時間は、音声データの再生時間よりも大きくなるように設定される。
【００２３】
図４は、動画像データ格納部１１２に格納されているデータの構造の一例を示す。動画像データ格納部１１２は、動画像２０４を構成するフレーム２００のデータ本体であるフレームデータ１１２２と、動画像２０４において画像と共に再生される音声情報のデータ本体である動画像音声データ１１２４とを、フレーム２００を識別するフレーム番号１１２０に対応付けて予め格納している。動画再生部１０６は、動画像データ格納部１１２を参照することにより、フレーム番号１１２０に基づいて、再生すべきフレーム２００のデータおよびフレーム２００と共に再生すべき音声情報を抽出することができる。
【００２４】
図５は、対応表格納部１１０に格納されているデータの構造の一例を示す。対応表格納部１１０は、フレーム番号１１２０と代表画像番号１１４０とを、場面を識別する場面番号１１００に対応付けて予め格納している。また、代表画像番号１１４０は、代表画像２０２として定められたフレーム２００のフレーム番号１１２０に対応付けられている。本例において、場面１はフレーム番号が１〜ｍである複数のフレーム２００を有する。また、フレーム番号が２であるフレームは、場面１の代表画像２０２として定められている。
【００２５】
ここで、動画像２０４の再生中に、入力部１０４を介してユーザから代表画像２０２の順次表示に切り替える旨の指示を受け付けた場合、切替部１０２は、動画再生部１０６が再生しているフレーム２００のフレーム番号を読み出す。そして、切替部１０２は、対応表格納部１１０を参照して、動画再生部１０６から読み出したフレーム番号が含まれる場面番号を抽出し、抽出した場面番号に対応する代表画像番号を抽出する。そして、切替部１０２は、代表画像表示部１０８に対して、抽出した代表画像番号から代表画像２０２の順次表示を開始させる。
【００２６】
また、代表画像２０２の順次表示中に、入力部１０４を介してユーザから動画像２０４の再生に切り替える旨の指示を受け付けた場合、切替部１０２は、代表画像表示部１０８が表示している代表画像２０２の代表画像番号を読み出す。そして、切替部１０２は、対応表格納部１１０を参照して、代表画像表示部１０８から読み出した代表画像番号に対応するフレーム番号を抽出する。そして、切替部１０２は、動画再生部１０６に対して、抽出したフレーム番号から動画像２０４の再生を開始させる。
【００２７】
なお、対応する場面に含まれるフレーム２００とは無関係に、場面の内容を反映する静止画像として新たに代表画像２０２が作成される他の例においては、代表画像２０２の順次表示中に、入力部１０４を介してユーザから動画像２０４の再生に切り替える旨の指示を受け付けた場合、切替部１０２は、代表画像表示部１０８が表示している代表画像２０２の代表画像番号を読み出す。そして、切替部１０２は、対応表格納部１１０を参照して、代表画像表示部１０８から読み出した代表画像番号に対応する場面番号を抽出し、抽出した場面番号に属するフレーム２００の中で、最も小さいフレーム番号を有するフレーム２００を抽出する。そして、切替部１０２は、動画再生部１０６に対して、抽出したフレーム番号から動画像２０４の再生を開始させる。
【００２８】
図６は、起動回数格納部１１６に格納されているデータの構造の一例を示す。起動回数格納部１１６は、起動回数１１６２をユーザＩＤ１１６０に対応付けて格納する。切替部１０２は、入力部１０４を介してユーザから起動指示およびユーザＩＤを受け取った場合、起動回数格納部１１６を参照して、受け取ったユーザＩＤが起動回数格納部１１６に既に存在するか否かを判定する。受け取ったユーザＩＤが既に起動回数格納部１１６に存在している場合、切替部１０２は、受け取ったユーザＩＤに対応する起動回数を１増やす。受け取ったユーザＩＤが起動回数格納部１１６に存在しない場合、切替部１０２は、受け取ったユーザＩＤを起動回数格納部１１６に登録し、登録したユーザＩＤに対応する起動回数を１に設定する。
【００２９】
入力部１０４がユーザから起動指示を受け付けた場合に、切替部１０２は、起動回数格納部１１６を参照することにより、起動指示を入力したユーザが動画再生装置１０を何回起動させたかを示す起動回数を読み出す。そして、起動回数が例えば５回等の予め定められた回数未満の場合、切替部１０２は、動画再生部１０６を動作させることにより、動画像２０４を再生させる。一方、起動回数が予め定められた回数以上の場合、切替部１０２は、代表画像表示部１０８を動作させることにより、代表画像２０２を順次表示させる。このように、動画像２０４を複数回閲覧したことのあるユーザに対しては、起動時から動画像２０４に対応する代表画像２０２を順次表示することにより、閲覧時間の短縮を優先し、動画像２０４を初めて閲覧するユーザや動画像２０４の閲覧回数が少ないユーザに対しては、起動時から動画像２０４を再生することにより、動画像２０４が示す内容の分かり易さを優先する。これにより、動画像２０４が示す内容の理解度を保ちながら、ユーザの利便性を高めることができる。
【００３０】
なお、他の例として、起動回数格納部１１６は、最新の起動日時をユーザＩＤに対応付けて格納し、予め定められた時間が経過したユーザＩＤを削除してもよい。これにより、閲覧回数が多くとも、代表画像２０２または動画像２０４を最後に閲覧した日時から長時間経過したユーザに対しては、起動時に動画像２０４を再生することができると共に、起動回数格納部１１６の記憶領域を少なくすることができる。
【００３１】
また、本例において、動画再生装置１０は、動画再生装置１０を起動させたユーザのユーザＩＤに基づいて、当該ユーザが動画再生装置１０を起動させた回数に応じて、起動時の表示を動画の再生および代表画像の順次表示のいずれかを決定したが、本発明はこれに限られず、ユーザから起動指示を受け付けた場合に、当該ユーザが動画再生装置１０を起動させた回数によらず、起動時には初期設定として、例えば動画像を再生してもよい。
【００３２】
図７は、起動時の動画再生装置１０の表示画面１３０の一例を示す。起動時に、動画再生装置１０は、表示画面１３０に、タイトル１３００、入力ボックス１３０２、および起動ボタン１３０４を表示する。タイトル１３００は、動画像２０４の内容を示す。ユーザは、起動時に、マウスやキーボード等の入力装置を介して、入力ボックス１３０２にユーザＩＤを入力し、起動ボタン１３０４をクリックする。これにより、入力部１０４は、ユーザからユーザＩＤおよび起動指示を受け取る。
【００３３】
本例において、動画再生装置１０は、１の動画像２０４およびその動画像２０４に対応する代表画像２０２を再生および表示するが、他の例として、動画再生装置１０は、異なる内容を示す複数の動画像２０４およびそれぞれの動画像２０４に対応する代表画像２０２を再生および表示してもよい。この場合、動画再生装置１０は、図７に示した起動時の表示画面１３０において、異なる内容を示す複数の動画像２０４のタイトル１３００を表示し、ユーザは、そのいずれかを選択することにより、選択された動画像２０４または選択された対応する代表画像２０２を表示する。
【００３４】
図８は、動画像２０４を再生する場合の表示画面１３０の一例を示す。動画像２０４を再生する場合、動画再生部１０６は、タイトル１３００、動画像表示部１３１０、要約表示ボタン１３１２、残時間表示部１３１４、およびスライダコントロール１３１６を表示画面１３０に表示すると共に、動画像２０４に対応する音声情報を動画再生装置１０が有するスピーカから再生する。要約表示ボタン１３１２は、動画像２０４の再生から代表画像２０２の順次表示に切り替えるためのボタンである。残時間表示部１３１４は、動画像２０４の残り時間を表示する。スライダコントロール１３１６は、動画像２０４全体の中での現在の再生位置を視覚的に表示すると共に、現在の再生位置を、マウス等を介してユーザに制御させることを可能にする。
【００３５】
図９は、代表画像２０２を表示する場合の表示画面１３０の一例を示す。代表画像２０２を表示する場合、代表画像表示部１０８は、タイトル１３００、代表画像表示部１３２０、残時間表示部１３２２、スライダコントロール１３２４、戻りボタン１３２６、文字情報１３２８、および送りボタン１３３０を表示画面１３０に順次表示すると共に、代表画像２０２に対応する音声情報を動画再生装置１０が有するスピーカから再生する。代表画像表示部１３２０には、動画像２０４の場面に対応する代表画像２０２が表示される。代表画像表示部１３２０が例えばマウスでクリックされることにより、動画再生部１０６は、対応する動画像２０４中の、クリックされた代表画像２０２に対応する時間的な位置から動画像２０４の再生を開始する。残時間表示部１３２２には、現在表示している代表画像２０２の表示時間の残りが表示される。スライダコントロール１３２４は、代表画像２０２の表示時間を視覚的に表示する。戻りボタン１３２６が例えばマウスでクリックされることにより、代表画像表示部１０８は、現在表示している代表画像２０２の１つ前の代表画像２０２を表示する。送りボタン１３３０が例えばマウスでクリックされることにより、代表画像表示部１０８は、現在表示している代表画像２０２の次の代表画像２０２を表示する。文字情報１３２８には、代表画像表示部１３２０に表示されている代表画像２０２に対応する文字情報が表示される。
【００３６】
このように、動画像２０４の場面の中で定められた静止画像を、画像の複雑さや重要度に応じた表示時間で表示するので、動画像２０４を複数回閲覧したことのあるユーザや動画像２０４に関する予備知識が豊富なユーザは、対応する場面の内容を迅速に理解することができる。また、代表画像２０２に対応する文字情報や音声情報を代表画像２０２と併せて表示および再生することにより、より確実に対応する場面の内容をユーザに理解させることができる。さらに、マウスを介したユーザの操作によって、表示する代表画像２０２を切り替えることができるので、動画像２０４が示す内容に対して、取得したい情報を特定しているユーザにとっては、さらに迅速に取得したい情報を見つけ出すことができる。
【００３７】
ここで、機器のマニュアル等は、使用中に頻繁に閲覧される場合がある。この場合、マニュアルは紙媒体に印刷され、必要なときに迅速に閲覧可能であることが好ましい。しかし、マニュアルが動画像である場合、紙媒体に出力することができない場合がある。本例において、代表画像表示部１０８は、代表画像２０２および文字情報を１画面に予め定められた表示時間で順次切り替えて表示するので、画面に表示されている間に、その場面を紙媒体に印刷することができる。従って、動画像２０４が示す内容が機器等のマニュアルである場合に、本実施形態の動画再生装置１０は特に有効である。
【００３８】
図１０は、動画再生装置１０の動作の一例を示すフローチャートである。まず、入力部１０４は、ユーザからユーザＩＤおよび起動指示を受け付ける（Ｓ２００）。そして、切替部１０２は、起動回数格納部１１６を参照して、入力部１０４を介して受け付けたユーザＩＤに対応する起動回数を読出し、所定値以上か否かを判定する（Ｓ２０２）。ステップ２０２において、入力部１０４を介して受け付けたユーザＩＤが起動回数格納部１１６にない場合、切替部１０２は、そのユーザＩＤに対応する起動回数を０とする。
【００３９】
ステップ２０２において、入力部１０４を介して受け付けたユーザＩＤに対応する起動回数が所定値以上である場合（Ｓ２０２：Ｙｅｓ）、代表画像表示部１０８は、代表画像データ格納部１１４を参照して、動画像２０４の最初の場面に対応する代表画像２０２を読み出し（Ｓ２０４）、読み出した代表画像２０２を表示する（Ｓ２０６）。ステップ２０４において、代表画像表示部１０８は、代表画像２０２と共に、代表画像２０２に対応する文字情報、音声情報、および表示時間を読み出す。また、ステップ２０６において、代表画像表示部１０８は、代表画像２０２および文字情報を表示時間に従って表示すると共に、音声情報を再生する。
【００４０】
次に、切替部１０２は、入力部１０４を介して、代表画像２０２の順次表示から動画像２０４の再生へ切り替える旨の指示である動画像切替指示を受け付けたか否かを判定する（Ｓ２０８）。動画像切替指示を受け付けた場合（Ｓ２０８：Ｙｅｓ）、切替部１０２は、代表画像表示部１０８の代表画像２０２の順次表示を停止させると共に、代表画像表示部１０８が現在表示している代表画像２０２の代表画像番号を代表画像表示部１０８から読み出し、対応表格納部１１０を参照して、読み出した代表画像番号に対応するフレーム２００のフレーム番号を読み出す。そして、動画再生部１０６は、切替部１０２が読み出したフレーム番号に対応するフレーム２００を動画像データ格納部１１２から読み出し（Ｓ２１０）、後述するステップ２３０に示す処理を行う。
【００４１】
ステップ２０８において、動画像切替指示を受け付けていない場合（Ｓ２０８：Ｎｏ）、切替部１０２は、送りボタン１３３０をクリックされることにより、現在表示している代表画像２０２の次の代表画像２０２を表示する旨の指示である送り指示を入力部１０４が受け付けたか否かを判定する（Ｓ２１２）。送り指示を受け付けた場合（Ｓ２１２：Ｙｅｓ）、切替部１０２は、対応表格納部１１０を参照して、現在表示している代表画像２０２の次の代表画像２０２の代表画像番号を読み出す。そして。代表画像表示部１０８は、切替部１０２が読み出した代表画像番号に対応する代表画像２０２を代表画像データ格納部１１４から読み出し（Ｓ２１４）、再びステップ２０６に示した処理を行う。
【００４２】
ステップ２１２において、送り指示を受け付けていない場合（Ｓ２１２：Ｎｏ）、切替部１０２は、戻りボタン１３２６をクリックされることにより、現在表示している代表画像２０２の１つ前の代表画像２０２を表示する旨の指示である戻り指示を入力部１０４が受け付けたか否かを判定する（Ｓ２１６）。戻り指示を受け付けた場合（Ｓ２１６：Ｙｅｓ）、切替部１０２は、対応表格納部１１０を参照して、現在表示している代表画像２０２の１つ前の代表画像２０２の代表画像番号を読み出す。そして。代表画像表示部１０８は、切替部１０２が読み出した代表画像番号に対応する代表画像２０２を代表画像データ格納部１１４から読み出し（Ｓ２１８）、再びステップ２０６に示した処理を行う。
【００４３】
ステップ２１６において、戻り指示を受け付けていない場合（Ｓ２１６：Ｎｏ）、代表画像表示部１０８は、現在表示している代表画像２０２に対応する表示時間が経過したか否かを判定する（Ｓ２２０）。表示時間が経過していない場合（Ｓ２２０：Ｎｏ）、代表画像表示部１０８は、再びステップ２０６に示す処理を行う。
【００４４】
ステップ２２０において、表示時間が経過した場合（Ｓ２２０：Ｙｅｓ）、代表画像表示部１０８は、代表画像データ格納部１１４を参照して、現在表示している代表画像２０２の次の代表画像２０２があるか否かを判定する（Ｓ２２２）。次の代表画像２０２がある場合（Ｓ２２２：Ｙｅｓ）、代表画像表示部１０８は、代表画像データ格納部１１４から次の代表画像２０２を読み出して（Ｓ２２４）、再びステップ２０６に示した処理を行う。次の代表画像２０２がない場合（Ｓ２２２：Ｙｅｓ）、本フローチャートに示す動画再生装置１０の動作は終了する。
【００４５】
ステップ２０２において、入力部１０４を介して受け付けたユーザＩＤに対応する起動回数が所定値未満である場合（Ｓ２０２：Ｎｏ）、切替部１０２は、対応表格納部１１０に格納された、対応するユーザＩＤの起動回数を１増やす（Ｓ２２６）。ステップ２０２において、入力部１０４を介して受け付けたユーザＩＤが起動回数格納部１１６になかった場合、ステップ２２６において、切替部１０２は、受け取ったユーザＩＤを起動回数格納部１１６に登録し、登録したユーザＩＤに対応する起動回数を１に設定する。
【００４６】
そして、動画再生部１０６は、動画像データ格納部１１２を参照して、動画像の最初のフレーム２００を読み出し（Ｓ２２８）、読み出したフレーム２００を再生する（Ｓ２３０）。ステップ２２８において、動画再生部１０６は、フレーム２００と共に、フレーム２００に対応する音声情報を読み出す。また、ステップ２３０において、動画再生部１０６は、フレーム２００および音声情報を、動画像として定められた時間間隔で再生する。
【００４７】
次に、切替部１０２は、入力部１０４を介して、フレーム２００の再生から代表画像２０２の順次表示へ切り替える旨の指示である代表画像切替指示を受け付けたか否かを判定する（Ｓ２３２）。代表画像切替指示を受け付けた場合（Ｓ２３２：Ｙｅｓ）、切替部１０２は、動画再生部１０６の動画像２０４の再生を停止させると共に、動画再生部１０６が現在表示しているフレーム２００のフレーム番号を動画再生部１０６から読み出し、対応表格納部１１０を参照して、読み出したフレーム番号に対応する場面番号を抽出し、抽出した場面番号に対応する代表画像２０２の代表画像番号を読み出す。そして、代表画像表示部１０８は、切替部１０２が読み出した代表画像番号に対応する代表画像２０２を代表画像データ格納部１１４から読み出し（Ｓ２３４）、ステップ２０６に示した処理を行う。
【００４８】
ステップ２３２において、代表画像切替指示を受け付けていない場合（Ｓ２３２：Ｎｏ）、動画再生部１０６は、動画像データ格納部１１２を参照して、現在表示しているフレーム２００の次のフレーム２００があるか否かを判定する（Ｓ２３６）。次のフレーム２００がある場合（Ｓ２３６：Ｙｅｓ）、動画再生部１０６は、動画像データ格納部１１２から次のフレーム２００を読み出して（Ｓ２３８）、再びステップ２３０に示した処理を行う。次のフレーム２００が動画像データ格納部１１２にない場合（Ｓ２３６：Ｙｅｓ）、本フローチャートに示す動画再生装置１０の動作は終了する。
【００４９】
以上、本発明の一実施形態について説明した。
【００５０】
上述したように、本実施形態によれば、動画像２０４を構成する複数の場面のそれぞれに対応する代表画像２０２を、それぞれの代表画像２０２に応じた表示時間で、順次切り替えて表示することができる。
【００５１】
図１１は、代表画像データを表示する場合の表示画面１３０の他の例を示す。なお、以下に説明する点を除き、図１１において、図９と同じ符号を付した構成は、図９における構成と同一又は同様の機能を有するため説明を省略する。代表画像表示部１３２０は、領域１３３２．領域１３３４、および領域１３３６を有する。領域１３３２．領域１３３４、および領域１３３６のそれぞれには、動画像中の同一の場面に対応する複数の異なる代表画像２０２が表示される。
【００５２】
本例において、領域１３３２．領域１３３４、および領域１３３６のそれぞれは、異なる面積を有する。領域１３３２．領域１３３４、および領域１３３６の中で、より広い面積の領域には、より複雑な代表画像２０２や動画像２０４が示す内容に対する重要度の高い代表画像２０２が配置されることが好ましい。本例において、代表画像表示部１３２０には、面積の異なる複数の代表画像２０２が表示されるが、他の例において、代表画像表示部１３２０には、複雑さや重要度とは無関係に、等しい面積の複数の代表画像２０２が表示されてもよい。また、代表画像表示部１３２０には、４つ以上の代表画像２０２が表示されてもよい。さらに、同一の場面に対応する代表画像２０２の数は、場面毎に異なっていてもよい。これにより、連続した動作や１の状態における異なる場所の画像を、１の代表画像表示部１３２０に表示することができる。従って、より迅速に動画像２０４の内容を理解させることができる。
【００５３】
また、他の例として、各場面毎に表示時間を個別に設定し、同一の場面に対応する複数の代表画像２０２を定め、それぞれの場面に対応する文字情報および音声情報を設定された表示時間で表示および再生している間に、その場面に対応する複数の代表画像２０２を順次切り替えて表示してもよい。この場合、場面内の複数の代表画像２０２のそれぞれの表示時間は、その場面の表示時間をその場面に対応する代表画像２０２の数で除した長さになる。
【００５４】
なお、本例において、動画再生装置１０は、ユーザによって直接操作されたが、他の例として、動画再生装置１０がネットワークに接続され、ネットワークに接続されたユーザの端末を介して、起動指示やユーザＩＤ等を受け付けると共に、ネットワークを介して、動画像および代表画像をユーザの端末に再生および表示してもよい。また、この場合、動画再生装置１０は、ネットワークのトラフィックを監視し、ネットワークのトラフィックが再生すべき動画像を伝送するのに十分な帯域が確保できない場合に、起動回数が予め定められた回数未満であっても、ユーザ端末に代表画像を表示することが好ましい。これにより、ネットワークの帯域に十分な余裕がない場合であっても、ユーザは、動画像の内容が示す情報を迅速に取得することができる。
【００５５】
また、代表画像データ格納部１１４は、代表画像２０２と代表画像２０２に対応する文字情報を対応付けて格納しているので、文字情報に含まれる文字データを検索キーとして文字情報および対応する代表画像２０２を検索することができる。さらに、検索した代表画像２０２の表示中に動画像２０４の再生に切り替えることにより、動画像２０４の中の場面を検索して再生することができる。
【００５６】
また、本例において、それぞれの代表画像２０２には、独立に表示時間が設定されるが、他の例として、それぞれの代表画像２０２には、長く表示させたい度合いを示す表示度を対応付けてもよい。この場合、全ての代表画像を表示するのにかかる時間を指定することにより、代表画像２０２の個数と、それぞれの代表画像２０２に対応する表示度に基づいて、それぞれの代表画像２０２の表示時間が決定されるようにしてもよい。
【００５７】
なお、本発明は上記の実施形態に限定されるものではなく、その要指示の範囲内で数々の変形が可能である。
【図面の簡単な説明】
【００５８】
【図１】本発明の一実施形態に係る動画再生装置１０のブロック図である。
【図２】動画像データと代表画像データとの関係を説明するための概念図である。
【図３】代表画像データ格納部１１４に格納されるデータの構造の一例を示す図である。
【図４】動画像データ格納部１１２に格納されるデータの構造の一例を示す図である。
【図５】対応表格納部１１０に格納されるデータの構造の一例を示す図である。
【図６】起動回数格納部１１６に格納されるデータの構造の一例を示す図である。
【図７】起動時の動画再生装置１０の表示画面１３０の一例を示す図である。
【図８】動画像２０４を再生する場合の表示画面１３０の一例を示す図である。
【図９】代表画像２０２を表示する場合の表示画面１３０の一例を示す図である。
【図１０】動画再生装置１０の動作の一例を示すフローチャートである。
【図１１】代表画像データを表示する場合の表示画面１３０の他の例を示す図である。
【符号の説明】
【００５９】
１０・・・動画再生装置、１０２・・・切替部、１０４・・・入力部、１０６・・・動画再生部、１０８・・・代表画像表示部、１１０・・・対応表格納部、１１２・・・動画像データ格納部、１１４・・・代表画像データ格納部、１１６・・・起動回数格納部、１２０・・・記録媒体、１３０・・・表示画面、２００・・・フレーム、２０２・・・代表画像、２０４・・・動画像、１１００・・・場面番号、１１０４・・・代表画像番号、１１２０・・・フレーム番号、１１２２・・・フレームデータ、１１２４・・・動画像音声データ、１１４０・・・代表画像番号、１１４２・・・代表画像データ、１１４４・・・文字データ、１１４６・・・代表画像音声データ、１１４８・・・表示時間、１１６０・・・ユーザＩＤ、１１６２・・・起動回数、１３００・・・タイトル、１３０２・・・入力ボックス、１３０４・・・起動ボタン、１３１０・・・動画像表示部、１３１２・・・要約表示ボタン、１３１４、１３２２・・・残時間表示部、１３１６、１３２４・・・スライダコントロール、１３２０・・・代表画像表示部、１３２６・・・戻りボタン、１３２８・・・文字情報、１３３０・・・送りボタン、１３３２、１３３４、１３３６・・・領域
【図１】
2006014126.tif 000003
【図２】
2006014126.tif 000004
【図３】
2006014126.tif 000005
【図４】
2006014126.tif 000006
【図５】
2006014126.tif 000007
【図６】
2006014126.tif 000008
【図７】
2006014126.tif 000009
【図８】
2006014126.tif 000010
【図９】
2006014126.tif 000011
【図１０】
2006014126.tif 000012
【図１１】
2006014126.tif 000013